(57)【要約】【課題】  家庭用の機器の異常を事前に把握することができる機器管理システムを提供する。【解決手段】  電力を消費または創出する家庭用の機器を管理する機器管理システムであって、電力を消費または創出する家庭用の機器（太陽光発電システム１１，空調システム１２，給湯システム１３，換気システム１４，照明システム１５）を管理する機器管理システム１０であって、機器が消費または創出する電力を測定する電力測定部２１と、電力測定部２１が測定した測定情報を記憶する測定電力記憶部３６と、測定電力記憶部３６に記憶された比較対象情報と、現状判定情報と、を比較して、機器の電力の推移の変調を判断する変調判断部３８と、を備える。【選択図】図２
2019170100.tif 000002
【特許請求の範囲】
【請求項１】
電力を消費または創出する家庭用の機器を管理する機器管理システムであって、
前記機器が消費または創出する電力を測定する電力測定部と、
前記電力測定部が測定した測定情報を記憶する測定電力記憶部と、
前記測定電力記憶部に記憶された比較対象情報と、現状判定情報と、を比較して、前記機器の電力の推移の変調を判断する変調判断部と、を備える
ことを特徴とする、機器管理システム。
【請求項２】
前記電力測定部は、各機器が消費または創出する電力を個別に測定し、
前記変調判断部は、各機器の電力の推移の変調を個別に判断する
ことを特徴とする、請求項１に記載の機器管理システム。
【請求項３】
前記変調判断部は、各機器の特性に応じて、前記機器の電力の推移の変調を個別に判断する
ことを特徴とする、請求項１または２に記載の機器管理システム。
【請求項４】
前記機器は、太陽光発電システム、空調システム、または給湯システムであって、
前記変調判断部は、昨年の所定の季節の前記比較対象情報と、前記現状判定情報と、を比較して、前記機器の電力の推移の変調を判断する
ことを特徴とする、請求項１〜３の何れか一項に記載の機器管理システム。
【請求項５】
前記機器は、換気システムであって、
前記変調判断部は、過去１日〜７日の前記比較対象情報と、前記現状判定情報と、を比較して、前記換気システムの電力の推移の変調を判断する
ことを特徴とする、請求項１〜３の何れか一項に記載の機器管理システム。
【請求項６】
前記変調判断部は、前記測定情報に記憶された１ヶ月の合計値、前記測定情報に記憶された１日の最大値、または前記測定情報に記憶された１日の稼働時の最頻値に基づいて、前記機器の電力の推移の変調を判断する
ことを特徴とする、請求項１〜５の何れか一項に記載の機器管理システム。
【発明の詳細な説明】
【技術分野】
【０００１】
本発明は、空調システムや太陽光発電システム等の電力を使用または創出する家庭用の機器を管理する機器管理システムに関するものである。
【背景技術】
【０００２】
従来、家庭用の機器の使用状態に関する情報を使用者に伝える機器管理システムが知られている（例えば、特許文献１参照）。
【０００３】
特許文献１には、使用者自身の使用する機器と、複数の家庭における使用者自身と同じ種類の機器とで、使用実態情報の中の消費電力について比較し、使用者自身の使用する機器の値が、他の複数の家庭で使用する機器の値から外れていることを報知する情報集計装置が開示されている。これにより、世間の標準の中で自分の機器の使い方を知ることができ、尋常でない使い方や機器の異常を発見する。
【先行技術文献】
【特許文献】
【０００４】
【特許文献１】特許第４０５１７３５号公報
【発明の概要】
【発明が解決しようとする課題】
【０００５】
ところで、家庭用の機器は、各家庭により使用実態が異なる。そのため、他の複数の家庭における機器の使用実態を比較対象とする特許文献１は、使用者自身の使用する機器の異常を事前に把握することができない、という問題がある。
【０００６】
そこで、本発明は、家庭用の機器の異常を事前に把握することができる機器管理システムを提供することを目的としている。
【課題を解決するための手段】
【０００７】
前記目的を達成するために、本発明の機器管理システムは、電力を消費または創出する家庭用の機器を管理する機器管理システムであって、前記機器が消費または創出する電力を測定する電力測定部と、前記電力測定部が測定した測定情報を記憶する測定電力記憶部と、前記測定電力記憶部に記憶された比較対象情報と、現状判定情報と、を比較して、前記機器の電力の推移の変調を判断する変調判断部と、を備えることを特徴とする。
【０００８】
ここで、本発明の機器管理システムでは、前記電力測定部は、各機器が消費または創出する電力を個別に測定し、前記変調判断部は、各機器の電力の推移の変調を個別に判断してもよい。
【０００９】
また、本発明の機器管理システムでは、前記変調判断部は、各機器の特性に応じて、前記機器の電力の推移の変調を個別に判断してもよい。
【００１０】
また、本発明の機器管理システムでは、前記機器は、太陽光発電システム、空調システム、または給湯システムであって、前記変調判断部は、昨年の所定の季節の前記比較対象情報と、前記現状判定情報と、を比較して、前記機器の電力の推移の変調を判断してもよい。
【００１１】
また、本発明の機器管理システムでは、前記機器は、換気システムであって、前記変調判断部は、過去１日〜７日の前記比較対象情報と、前記現状判定情報と、を比較して、前記機器の電力の推移の変調を判断してもよい。
【００１２】
さらに、本発明の機器管理システムでは、前記変調判断部は、前記測定情報に記憶された１ヶ月の合計値、前記測定情報に記憶された１日の最大値、または前記測定情報に記憶された１日の稼働時の最頻値に基づいて、前記機器の電力の推移の変調を判断してもよい。
【発明の効果】
【００１３】
このように構成された本発明の機器管理システムでは、変調判断部は、自宅における機器の使用実態に基づいて、機器の消費または創出する電力の推移の変調を判断することができため、自宅における機器の使用実態に基づいて、機器の故障の前兆を把握することができる。
【００１４】
また、本発明の機器管理システムでは、前記電力測定部は、各機器が消費または創出する電力を個別に測定し、前記変調判断部は、各機器の電力の推移の変調を個別に判断することで、変調判断部は、機器ごとに、機器の消費または創出する電力の推移の変調を判断することができるため、機器ごとに、故障の前兆を把握することができる。
【００１５】
また、本発明の機器管理システムでは、前記変調判断部は、各機器の特性に応じて、前記機器の電力の推移の変調を個別に判断することで、変調判断部は、各機器の特性に応じて電力の推移の変調を適切に判断することができるため、各機器の特性に応じて適切に故障の前兆を適切に把握することができる。
【００１６】
また、本発明の機器管理システムでは、前記機器は、太陽光発電システム、空調システム、または給湯システムであって、前記変調判断部は、昨年の所定の季節の前記比較対象情報と、前記現状判定情報と、を比較して、前記機器の電力の推移の変調を判断することで、季節により消費または創出電力が異なる太陽光発電システム、空調システム、または給湯システムに対して、電力の推移を正しく判断することができるので、太陽光発電システム、空調システム、または給湯システムの故障の前兆を把握することができる。
【００１７】
また、本発明の機器管理システムでは、前記機器は、換気システムであって、前記変調判断部は、過去１日〜７日の前記比較対象情報と、現状判定情報と、を比較して、前記換気システムの電力の推移の変調を判断することで、消費電力が年間を通して略一定となる換気システムに対して、直近の測定情報と比較することができので、最新の測定情報に基づいて、換気システムの故障の前兆を把握することができる。
【００１８】
また、本発明の機器管理システムでは、前記変調判断部は、前記測定情報に記憶された１ヶ月の合計値、前記測定情報に記憶された１日の最大値、または前記測定情報に記憶された１日の稼働時の最頻値に基づいて、前記機器の電力の推移の変調を判断することで、各機器の消費または創出電力の性質に基づいて、各機器の故障の前兆を把握することができる。
【図面の簡単な説明】
【００１９】
【図１】実施例１の機器管理システムの構成を示す構成図である。
【図２】実施例１のコントローラの構成を示す構成図である。
【図３】実施例１の変調判断情報記憶部が記憶するデータテーブルを説明する説明図である。
【図４】実施例１の変調判断部による空調システムの評価要素を説明する説明図である。
【図５】実施例１の変調判断部による給湯システムの評価要素を説明する説明図である。
【図６】実施例１の変調判断部による換気システムの評価要素を説明する説明図である。
【図７】実施例１の変調判断部による空調システムの変調判断処理を説明するフローチャートである。
【図８】実施例１の変調判断部による太陽光発電システムの変調判断処理を説明するフローチャートである。
【図９】実施例１の変調判断部による換気システムの変調判断処理を説明するフローチャートである。
【図１０】実施例１の換気システムの消費電力の特性について説明する説明図である。
【図１１】実施例１の変調判断部による給湯システムの変調判断処理を説明するフローチャートである。
【図１２】実施例１の給湯システムの消費電力の特性について説明する説明図である。
【図１３】実施例１の機器管理システムの作用を説明する説明図である。
【図１４】実施例１の機器管理システムの作用を説明する説明図である。
【図１５】実施例１の機器管理システムの作用を説明する説明図である。
【図１６】実施例１の機器管理システムの作用を説明する説明図である。
【発明を実施するための形態】
【００２０】
以下、本発明による機器管理システムを実現する実施形態を、図面に示す実施例１に基づいて説明する。
【実施例１】
【００２１】
実施例１の機器管理システム１０は、一戸建ての建物１に設けられ、電力を創出する太陽光発電システムや、電力を消費する空調システム等を管理する。
【００２２】
［機器管理システムの構成］
図１に、実施例１の機器管理システム１０の構成を示す構成図である。以下、図１に基づいて、実施例１の機器管理システム１０の構成を説明する。
【００２３】
機器管理システム１０は、家庭用の機器としての太陽光発電システム１１と空調システム１２と給湯システム１３と換気システム１４と照明システム１５と、に電気的に接続される分電盤２０と、分電盤２０に接続されるコントローラ３０と、コントローラ３０からの情報を、通信ネットワーク４０を介して接続されるサーバ４１と通信端末５１，５２と、から構成される。
【００２４】
太陽光発電システム１１は、ソーラーパネルを用いて太陽光発電を行い、蓄電システムに蓄電する。太陽光発電システム１１によって発電された電力は、建物１内の各システム１２〜１５に供給されたり、電力会社等に売電されたりする。
【００２５】
空調システム１２は、電力により、建物１の床下空間や床上空間の冷房、暖房、送風、除湿等が可能なエアコン（air conditioner）である。給湯システム１３は、貯湯タンクユニットと、ヒートポンプユニットと、を備え、電力により、給湯動作を行う。
【００２６】
換気システム１４は、電力により、屋外の空気を屋内に取り入れると共に、屋内の空気を屋外に排出することで、屋内の換気を行う。照明システム１５は、電力により、屋内や屋外を照明する。
【００２７】
分電盤２０は、商用電源または太陽光発電システム１１から供給される電力を各システム１２〜１５に分配する。分電盤２０は、電力測定部２１を備える。分電盤２０は、電力測定部２１を介して、商用電源または太陽光発電システム１１から電力の供給を受ける。電力の供給を受けた分電盤２０は、電力測定部２１を介して、空調システム１２と、給湯システム１３と、換気システム１４と、照明システム１５と、に電力が供給される。
【００２８】
電力測定部２１は、各システム１１〜１５で創出または使用される電力を個別に測定する。具体的には、電力測定部２１は、太陽光発電システム１１から供給される電力を測定する。また、電力測定部２１は、空調システム１２に供給する電力を測定する。また、電力測定部２１は、給湯システム１３に供給する電力を測定する。また、電力測定部２１は、換気システム１４に供給する電力を測定する。また、電力測定部２１は、照明システム１５に供給する電力を測定する。
【００２９】
分電盤２０には、コントローラ３０が接続される。コントローラ３０は、家庭内のエネルギー監視システムであるＨＥＭＳ（Home Energy Management System）とすることができる。コントローラ３０には、電力測定部２１が測定した測定情報が送信される。コントローラ３０では、後述する変調判断処理を実行し、通信ネットワーク４０を介して、その処理結果を通信端末５１，５２に送信する。
【００３０】
通信ネットワーク４０は、インターネット回線を利用する。通信端末５１は、建物１内に置かれたＰＣ（パーソナルコンピュータ）とすることができる。通信端末５２は、建物１外に持ち運び可能なスマートフォンとすることができる。なお、通信端末５１，５２は、１つであってもよいし、３つ以上であってもよい。
【００３１】
［コントローラの構成］
次に、コントローラ３０の構成について説明する。図２は、実施例１のコントローラ３０の構成を示す構成図である。図３は、実施例１の変調判断情報記憶部が記憶するデータテーブルを説明する説明図である。以下、図２及び図３に基づいて、実施例１のコントローラ３０の構成を説明する。
【００３２】
コントローラ３０は、図２に示すように、入力部３１と、表示部３２と、通信部３３と、タイマ３４と、制御部３５と、を備える。
【００３３】
入力部３１は、キーボードやタッチパネル等の入力デバイスを備え、ユーザからの指示入力を受け付ける。表示部３２は、液晶ディスプレイ等の表示装置であり、各種情報を表示する。通信部３３は、分電盤２０と通信すると共に、通信ネットワーク４０を介してサーバ４１と通信端末５１，５２と通信する。タイマ３４は、電力測定部２１が各システム１１〜１５の計測された電力を記録する時間をカウントする。実施例１では、タイマ３４は、６０分にセットされる。
【００３４】
制御部３５は、各システム１１〜１５の計測された電力を記憶（記録）する測定電力記憶部３６と、各システム１１〜１５の電力の推移の変調の判断要素となる情報を記憶する変調判断情報記憶部３７と、各システム１１〜１５の電力の推移の変調を判断する変調判断部３８と、を備える。
【００３５】
測定電力記憶部３６は、電力測定部２１によって測定された各システム１１〜１５の電力を、計測した日時とともに記憶する。
【００３６】
変調判断情報記憶部３７は、各システム１１〜１５の電力の推移の変調の判断の基礎となるデータテーブルを予め記憶する。ここで、変調判断情報記憶部３７のデータテーブルについて、図３を参照して説明する。
【００３７】
（太陽光発電システム）
対象システムが、太陽光発電システム１１であるときは、太陽光発電システム１１が創出した電力を６０分毎に記録し、１ヶ月の計測値の合計値を算出して評価要素（評価値）とするように規定する。昨年の所定の季節の算出値の推移と、直近の算出値の推移とを比較し、直近の算出値が、昨年の所定の季節の算出値より所定の割合以上変化して推移しているか否かを判断事項として規定する。所定の季節とは、計測がされた季節であり、例えば、１〜３月を冬季とし、４月〜６月を春季とし、７月〜９月を夏季とし、１０月〜１２月を秋季とする。なお、所定の季節は、季節の変わり目の前後の季節とすることもできる。太陽光発電システム１１における直近の算出値とは、直近１ヶ月の計測値の合計値とすることができる。
【００３８】
（空調システム）
対象システムが、空調システム１２であるときは、図４に示すように、空調システム１２の消費電力を６０分毎に記録し、１日の計測値の最大値を算出して評価要素とするように規定する。昨年の所定の季節の算出値の推移と、直近の算出値の推移とを比較し、直近の算出値が、昨年の所定の季節の算出値より所定の割合以上変化して推移しているか否かを判断事項として規定する。空調システム１２における直近の算出値とは、直近１日の計測値の最大値としてもよいし、直近複数日の最大値の平均値としてもよい。
【００３９】
（給湯システム）
対象システムが、給湯システム１３であるときは、給湯システム１３の消費電力を６０分毎に記録し、１日の計測値の稼働時の最頻値を算出して評価要素とするように規定する。昨年の所定の季節の算出値の推移と、直近の算出値の推移とを比較し、直近の算出値が、昨年の所定の季節の算出値より所定の割合以上変化して推移しているか否かを判断事項として規定する。給湯システム１３における直近の算出値とは、直近１日の計測値の稼働時の最頻値としてもよいし、直近複数日の計測値の稼働時の最頻値としてもよい。
【００４０】
なお、図５に示すように、複数日（例えば、１週間）の計測値の稼働時の最頻値を算出して評価要素としてもよい。この場合、最頻値は、計測された給湯システム１３の消費電力の平均値とすることができる。また、計測された給湯システム１３の消費電力のうち、計測値が低いものは、給湯システム１３が稼働していないものとして、この計測値を考慮しないこととする。
【００４１】
（換気システム）
対象システムが、換気システム１４であるときは、図６に示すように、換気システム１４の消費電力を６０分毎に記録し、１日の計測値の最頻値を算出して評価要素とするように規定する。最頻値とは、計測された換気システム１４の消費電力の平均値とすることができる。
【００４２】
昨週の算出値の推移と、直近の算出値の推移とを比較し、直近の算出値が、昨週の算出値より所定の割合以上変化して推移しているか否かを判断事項として規定する。換気システム１４における直近の算出値とは、直近１日の計測値の最頻値としてもよいし、直近複数日の最頻値としてもよい。なお、１日〜７日の計測値の最頻値を算出して評価要素としてもよい。
【００４３】
変調判断部３８は、各システム１１〜１５の故障の兆候の情報を記載したデータテーブルを参照し、測定電力記憶部３６に記憶された情報に基づいて、後述する変調判断処理を実行する。変調判断処理は、各システム１１〜１５について個別に行われる。この変調判断処理では、測定電力記憶部３６に記憶された比較対象情報と、現状判定情報と、を比較して、各システム１１〜１５の電力の推移の変調を判断する。
［空調システムの変調判断処理］
【００４４】
次に、変調判断部３８による空調システム１２の変調判断処理について説明する。図７は、実施例１の変調判断部３８による空調システム１２の変調判断処理を説明するフローチャートである。
【００４５】
空調システム１２の変調判断処理は、機器管理システム１０に電源が投入されることで、開始される。空調システム１２の変調判断処理が開始されると、変調判断部３８は、電力測定部２１が計測した空調システム１２の消費電力を、所定の時間（例えば、６０分毎）に測定電力記憶部３６に記憶する（ステップＳ１１）。
【００４６】
次いで、変調判断部３８は、測定電力記憶部３６を参照して、１日の計測結果のうち、計測された空調システム１２の消費電力の最大値を算出する（ステップＳ１２）。次いで、変調判断部３８は、昨年の所定の季節の算出値の推移と、直近の算出値の推移とを比較する（ステップＳ１３）。次いで、変調判断部３８は、直近の算出値が、昨年より所定の割合以上変化して推移しているか否かを判断する（ステップＳ１４）。
【００４７】
直近の算出値が、昨年より所定の割合以上変化して推移していると判断した場合（ステップＳ１４でＹＥＳ）、変調判断部３８は、空調システム１２の消費電力の推移に変調があると判断して（ステップＳ１５）、空調システム１２に故障の兆候がある旨を通信端末５１，５２と表示部３２に報知し（ステップＳ１６）、空調システム１２の変調判断処理を終了する。なお、通信端末５１，５２と表示部３２に故障の兆候がある旨を表示すると共に、警告音を報知してもよい。
【００４８】
一方、直近の算出値が、昨年より所定の割合以上変化して推移していないと判断した場合（ステップＳ１４でＮＯ）、変調判断部３８は、空調システム１２の消費電力の推移に変調がないと判断して（ステップＳ１７）、空調システム１２の変調判断処理を終了する。
【００４９】
空調システム１２は、季節により、使用する機能が異なる。例えば、夏場は冷房を使用し、冬場は暖房を使用する。そのため、空調システム１２は、季節により消費電力が異なる。このように、季節により消費電力が異なる空調システム１２では、比較対象を前年とすることで、季節による使用態様の変化に対応して、電力の推移の変化を判断することができる。
［太陽光発電システムの変調判断処理］
【００５０】
次に、変調判断部３８による太陽光発電システム１１の変調判断処理について説明する。図８は、実施例１の変調判断部３８による太陽光発電システム１１の変調判断処理を説明するフローチャートである。
【００５１】
太陽光発電システム１１の変調判断処理は、機器管理システム１０に電源が投入されることで、開始される。太陽光発電システム１１の変調判断処理が開始されると、変調判断部３８は、電力測定部２１が計測した太陽光発電システム１１の創出電力を、所定の時間（例えば、６０分毎）に測定電力記憶部３６に記憶する（ステップＳ１１１）。
【００５２】
次いで、変調判断部３８は、測定電力記憶部３６を参照して、１ヶ月の計測結果の合計値を算出する（ステップＳ１１２）。次いで、変調判断部３８は、昨年の所定の季節の算出値の推移と、直近の算出値の推移とを比較する（ステップＳ１１３）。次いで、変調判断部３８は、直近の算出値が、昨年より所定の割合以上変化して推移しているか否かを判断する（ステップＳ１１４）。
【００５３】
直近の算出値が、昨年より所定の割合以上変化して推移していると判断した場合（ステップＳ１１４でＹＥＳ）、変調判断部３８は、太陽光発電システム１１の創出電力の推移に変調があると判断して（ステップＳ１１５）、太陽光発電システム１１に故障の兆候がある旨を通信端末５１，５２と表示部３２に報知し（ステップＳ１１６）、空調システム１２の変調判断処理を終了する。なお、通信端末５１，５２と表示部３２に故障の兆候がある旨を表示すると共に、警告音を報知してもよい。
【００５４】
一方、直近の算出値が、昨年より所定の割合以上変化して推移していないと判断した場合（ステップＳ１１４でＮＯ）、変調判断部３８は、太陽光発電システム１１の創出電力の推移に変調がないと判断して（ステップＳ１１７）、空調システム１２の変調判断処理を終了する。
【００５５】
太陽光発電システム１１により創出される電力は、天候により異なる。例えば、雨天時は創出電力が小さく、晴天時は創出電力が雨天時より大きくなる。このように、天候により創出電力が異なる太陽光発電システム１１では、複数日の電力の計測値の合計を、評価要素とすることで、天候の影響を排除して、電力の推移の変化を判断することができる。
［換気システムの変調判断処理］
【００５６】
次に、変調判断部３８による換気システム１４の変調判断処理について説明する。図９は、実施例１の変調判断部３８による換気システム１４の変調判断処理を説明するフローチャートである。
【００５７】
換気システム１４の変調判断処理は、機器管理システム１０に電源が投入されることで、開始される。換気システム１４の変調判断処理が開始されると、変調判断部３８は、電力測定部２１が計測した換気システム１４の創出電力を、所定の時間（例えば、６０分毎）に測定電力記憶部３６に記憶する（ステップＳ２１１）。
【００５８】
次いで、変調判断部３８は、測定電力記憶部３６を参照して、１日の計測結果のうち、最頻値を算出する（ステップＳ２１２）。次いで、変調判断部３８は、昨週の算出値の推移と、直近の算出値の推移とを比較する（ステップＳ２１３）。次いで、変調判断部３８は、直近の算出値が、昨週より所定の割合以上変化して推移しているか否かを判断する（ステップＳ２１４）。
【００５９】
直近の算出値が、昨週より所定の割合以上変化して推移していると判断した場合（ステップＳ２１４でＹＥＳ）、変調判断部３８は、換気システム１４の消費電力の変調があると判断して（ステップＳ２１５）、換気システム１４に故障の兆候がある旨を通信端末５１，５２と表示部３２に報知し（ステップＳ２１６）、空調システム１２の変調判断処理を終了する。なお、変調判断部３８は、通信端末５１，５２と表示部３２に故障の兆候がある旨を表示すると共に、警告音を報知してもよい。
【００６０】
一方、直近の算出値が、昨週より所定の割合以上変化して推移していないと判断した場合（ステップＳ２１４でＮＯ）、変調判断部３８は、換気システム１４の消費電力量の変調がないと判断して（ステップＳ２１７）、空調システム１２の変調判断処理を終了する。
【００６１】
なお、比較対象は、上記では、昨週としたが、１日〜７日とすることができる。換気システム１４は、季節や時間帯に関わらず使用される。換気システム１４は、図１０に示すように、最頻電力は年間を通して一定となる。このように、季節や時間帯に関わらず使用される換気システム１４では、比較対象を１日〜７日として、電力の推移の変化を判断することができる。比較対象を１日〜７日とすることで、最新の測定値と比較して、電力の推移の変化を判断することができる。
［給湯システムの変調判断処理］
【００６２】
次に、変調判断部３８による給湯システム１３の変調判断処理について説明する。図１１は、実施例１の変調判断部３８による給湯システム１３の変調判断処理を説明するフローチャートである。
【００６３】
給湯システム１３の変調判断処理は、機器管理システム１０に電源が投入されることで、開始される。給湯システム１３の変調判断処理が開始されると、変調判断部３８は、電力測定部２１が計測した給湯システム１３の創出電力を、測定電力記憶部３６に記憶する（ステップＳ３１１）。
【００６４】
次いで、変調判断部３８は、測定電力記憶部３６を参照して、１日の計測結果のうち、給湯システム１３の稼働時の最頻値を算出する（ステップＳ３１２）。次いで、変調判断部３８は、昨年の所定の季節の算出値の推移と、直近の算出値の推移を比較する（ステップＳ３１３）。次いで、変調判断部３８は、直近の算出値が、昨年より所定の割合以上変化して推移しているか否かを判断する（ステップＳ３１４）。
【００６５】
直近の算出値が、昨年より所定の割合以上変化して推移していると判断した場合（ステップＳ３１４でＹＥＳ）、変調判断部３８は、給湯システム１３の消費電力の推移に変調があると判断して（ステップＳ３１５）、給湯システム１３に故障の兆候がある旨を通信端末５１，５２と表示部３２に報知し（ステップＳ３１６）、空調システム１２の変調判断処理を終了する。なお、変調判断部３８は、通信端末５１，５２と表示部３２に故障の兆候がある旨を表示すると共に、警告音を報知してもよい。
【００６６】
一方、直近の算出値が、昨年より所定の割合以上変化して推移していないと判断した場合（ステップＳ３１４でＮＯ）、変調判断部３８は、給湯システム１３の消費電力量の変調がないと判断して（ステップＳ３１７）、空調システム１２の変調判断処理を終了する。
【００６７】
給湯システム１３は、季節により、使用する頻度が異なり、消費電力も異なる。給湯システム１３は、図１２に示すように、夏場は消費電力が小さく、冬場は消費電力が大きくなる傾向にある。このように、季節により消費電力が異なる給湯システム１３では、比較対象を昨年とすることで、季節による消費電力の変化に対応して、電力の推移の変化を判断することができる。
【００６８】
次に、実施例１の機器管理システムの作用を説明する。図１３〜１６は、実施例１の機器管理システム１０の作用を説明する説明図である。
【００６９】
図１３は、ある機器の変調の発生前後のＨＥＭＳ（Home Energy Management System）に記憶された電力データを分析したものを示す。変調の発生時期は、２０１７年４月７日である。図１３に示すように、変調の発生時である２０１７年４月７日以前の約１ヶ月分の電力データからは、変調の発生の兆候を判断することは困難である。
【００７０】
実施例１の機器管理システム１０では、電力を消費または創出する家庭用の機器（太陽光発電システム１１，空調システム１２，給湯システム１３，換気システム１４，照明システム１５）を管理する。機器管理システム１０は、機器（太陽光発電システム１１，空調システム１２，給湯システム１３，換気システム１４，照明システム１５）が消費または創出する電力を測定する電力測定部２１と、電力測定部２１が測定した測定情報を記憶する測定電力記憶部３６と、測定電力記憶部３６に記憶された比較対象情報と、現状判定情報と、を比較して、機器（太陽光発電システム１１，空調システム１２，給湯システム１３，換気システム１４，照明システム１５）の電力の推移の変調を判断する変調判断部３８と、を備える（図２）。
【００７１】
これにより、変調判断部３８は、自宅における機器（太陽光発電システム１１，空調システム１２，給湯システム１３，換気システム１４，照明システム１５）の使用実態に基づいて、機器（太陽光発電システム１１，空調システム１２，給湯システム１３，換気システム１４，照明システム１５）の消費または創出する電力の推移の変調を判断することができる。そのため、自宅における機器（太陽光発電システム１１，空調システム１２，給湯システム１３，換気システム１４，照明システム１５）の使用実態に基づいて、機器（太陽光発電システム１１，空調システム１２，給湯システム１３，換気システム１４，照明システム１５）の故障の前兆を把握することができる。
【００７２】
以下に、一例として、機器管理システム１０の空調システム１２の消費電力の推移について説明する。変調の発生時期の２０１７年４月７日とする。変調の発生時期は、４月７日の春季であり、変調の発生時期の直前期は、１月〜３月の冬季である。２０１７年１月１日〜２０１７年３月の冬季における空調システム１２の消費電力（１日の計測値の最大値）の推移が、これと同時期の２０１６年１月１日〜２０１６年３月と比べて、明らかに低下していることが分かる。
【００７３】
空調システム１２の電力の推移の変調は、図１５及び図１６に示すように、最大消費電力の発生頻度によって判断してもよい。図１５及び図１６は、空調システム１２の変調の発生時期の直前期（１月〜３月）について、消費電力と発生頻度との関係を３年分示している。
【００７４】
これを数値で表すと、２０１５年の消費電力の最大値は、２．０９２４［ｋＷｈ／ｈ］であり、２０１６年の消費電力の最大値は、２．６８６３［ｋＷｈ／ｈ］であり、２０１７年の消費電力の最大値は、１．７４６［ｋＷｈ／ｈ］である。このように、空調システム１２の電力の推移の変調は、昨年の消費電力の最大値と比較して判断してもよい。
【００７５】
実施例１では、電力測定部２１は、各機器（太陽光発電システム１１，空調システム１２，給湯システム１３，換気システム１４，照明システム１５）が消費または創出する電力を個別に測定し、変調判断部３８は、各機器（太陽光発電システム１１，空調システム１２，給湯システム１３，換気システム１４，照明システム１５）の電力の推移の変調を個別に判断する（図２）。
【００７６】
これにより、変調判断部３８は、機器（太陽光発電システム１１，空調システム１２，給湯システム１３，換気システム１４，照明システム１５）ごとに、機器（太陽光発電システム１１，空調システム１２，給湯システム１３，換気システム１４，照明システム１５）の消費または創出する電力の推移の変調を判断することができる。そのため、機器（太陽光発電システム１１，空調システム１２，給湯システム１３，換気システム１４，照明システム１５）ごとに、故障の前兆を把握することができる。
【００７７】
実施例１では、変調判断部３８は、各機器（太陽光発電システム１１，空調システム１２，給湯システム１３，換気システム１４，照明システム１５）の特性に応じて、機器（太陽光発電システム１１，空調システム１２，給湯システム１３，換気システム１４，照明システム１５）の電力の推移の変調を個別に判断する（図３）。
【００７８】
これにより、変調判断部３８は、各機器（太陽光発電システム１１，空調システム１２，給湯システム１３，換気システム１４，照明システム１５）の特性に応じて電力の推移の変調を適切に判断することができる。そのため、各機器（太陽光発電システム１１，空調システム１２，給湯システム１３，換気システム１４，照明システム１５）の特性に応じて適切に故障の前兆を適切に把握することができる。
【００７９】
実施例１では、機器は、太陽光発電システム１１、空調システム１２、または給湯システム１３であって、変調判断部３８は、昨年の所定の季節の比較対象情報と、現状判定情報と、を比較して、機器（太陽光発電システム１１、空調システム１２、または給湯システム１３）の電力の推移の変調を判断する（図３）。
【００８０】
これにより、季節により消費または創出電力が異なる太陽光発電システム１１、空調システム１２、または給湯システム１３に対して、電力の推移を正しく判断することができる。そのため、太陽光発電システム１１、空調システム１２、または給湯システム１３の故障の前兆を把握することができる。
【００８１】
実施例１では、機器は、換気システム１４であって、変調判断部３８は、過去１日〜７日の比較対象情報と、現状判定情報と、を比較して、換気システム１４の電力の推移の変調を判断する（図３）。
【００８２】
これにより、消費電力が年間を通して略一定となる換気システム１４に対して、直近の測定情報と比較することができる。そのため、最新の測定情報に基づいて、換気システム１４の故障の前兆を把握することができる。
【００８３】
実施例１では、変調判断部３８は、測定情報に記憶された１ヶ月の合計値、測定情報に記憶された１日の最大値、または測定情報に記憶された１日の稼働時の最頻値に基づいて、機器（太陽光発電システム１１，空調システム１２，給湯システム１３，換気システム１４，照明システム１５）の電力の推移の変調を判断する（図３）。
【００８４】
これにより、各機器（太陽光発電システム１１，空調システム１２，給湯システム１３，換気システム１４，照明システム１５）の消費または創出電力の性質に基づいて、各機器（太陽光発電システム１１，空調システム１２，給湯システム１３，換気システム１４，照明システム１５）の故障の前兆を把握することができる。
【００８５】
以上、本開示の機器管理システムを実施例１に基づき説明してきた。しかし、具体的な構成については、この実施例に限られるものではなく、特許請求の範囲の各請求項に係る発明の要旨を逸脱しない限り、設計の変更や追加等は許容される。
【００８６】
実施例１では、家庭用の機器を太陽光発電システム１１，空調システム１２，給湯システム１３，換気システム１４，照明システム１５とする例を示した。しかし、家庭用の機器としては、これらに限定されず、ＩＨクッキングヒータ、炊飯器、電子レンジ、テレビジョン受像機等の電力で稼働する機器であればよい。
【００８７】
実施例１では、各システム１１〜１５の消費または創出する電力を６０分毎に記録する例を示した。しかし、各システムの電力は、この態様に限定されず、３０分毎に記録してもよい。
【００８８】
実施例１に記載の変調判断情報記憶部３７が記憶するデータテーブルの内容は、この態様に限定されず、各機器の特性に応じて追加・変更することが可能である。
【００８９】
本発明の機器管理システムは、一戸建ての建物に適用する例を示した。しかし、本発明の機器管理システムは、集合住宅に適用することもできる。
【符号の説明】
【００９０】
１        建物
１０      機器管理システム
１１      太陽光発電システム（家庭用の機器の一例）
１２      空調システム（家庭用の機器の一例）
１３      給湯システム（家庭用の機器の一例）
１４      換気システム（家庭用の機器の一例）
１５      照明システム（家庭用の機器の一例）
２１      電力測定部
３６      測定電力記憶部
３８      変調判断部
【図１】
2019170100.tif 000003
【図２】
2019170100.tif 000004
【図３】
2019170100.tif 000005
【図４】
2019170100.tif 000006
【図５】
2019170100.tif 000007
【図６】
2019170100.tif 000008
【図７】
2019170100.tif 000009
【図８】
2019170100.tif 000010
【図９】
2019170100.tif 000011
【図１０】
2019170100.tif 000012
【図１１】
2019170100.tif 000013
【図１２】
2019170100.tif 000014
【図１３】
2019170100.tif 000015
【図１４】
2019170100.tif 000016
【図１５】
2019170100.tif 000017
【図１６】
2019170100.tif 000018